(57)【要約】【課題】  ＬＥＤを用い、ハンダ等による接合を必要とせず、組み立てが簡単で且つ現場でも容易に部品から必要な完成品を製造でき、また家具等の扉やその他の木製板の部分に簡単に取り付けて斬新な家具をもたらすことができるＬＥＤランプの提供を課題とする。【解決手段】  ＬＥＤランプ１は、発光頭部１１と一対の外部リード脚１２とを供えたＬＥＤ１０と、ＬＥＤ１０に対してその発光頭部１１が先端側から外部に突出した状態に嵌め合わせられるマイナス極用の筒状外装体３０と、筒状外装体３０内に基端側から挿着され、外部リード脚１２のプラス脚１２ａを自己の管内に受け入れると共にマイナス脚１２ｂを自己の管外に隔離してマイナス極用の筒状外装体３０との間に挟持する絶縁性隔離管４０と、絶縁性隔離管４０に対して基端側から差し込まれ、その差込部５２でプラス脚１２ａを絶縁性隔離管４０との間に挟持するプラス極用の差込ピン５０とからなる。【選択図】        図１
2005056763.tif 000002
【特許請求の範囲】
【請求項１】
発光頭部と一対の外部リード脚とを供えたＬＥＤと、該ＬＥＤに対してその発光頭部が先端側から外部に突出した状態に嵌め合わせられるマイナス極用の筒状外装体と、該筒状外装体内に基端側から挿着され、前記外部リード脚のプラス脚を自己の管内に受け入れると共にマイナス脚を自己の管外に隔離して前記マイナス極用の筒状外装体との間に挟持する絶縁性隔離管と、該絶縁性隔離管に対して基端側から差し込まれ、その差込部で前記プラス脚を前記絶縁性隔離管との間に挟持するプラス極用の差込ピンとからなることを特徴とするＬＥＤランプ。
【請求項２】
請求項１に記載のＬＥＤランプを家具等の木製板に設けた貫通穴に嵌め込み、ＬＥＤの発光頭部を木製板の前面に臨ませ、木製板の背面において前記ＬＥＤランプの差込ピンに対するプラス配線と前記筒状外装体に対するマイナス配線を施すように構成したことを特徴とするＬＥＤランプ取付体。
【請求項３】
請求項１に記載のＬＥＤランプを家具等の扉のノブに設けた貫通穴に嵌め込み、ＬＥＤの発光頭部をノブの前面に臨ませ、扉の背面側から前記ＬＥＤランプの差込ピンに対するプラス配線と前記筒状外装体に対するマイナス配線とを施すように構成したことを特徴とするＬＥＤランプ取付体。
【発明の詳細な説明】
【技術分野】
【０００１】
本発明はＬＥＤランプと該ＬＥＤランプを取り付けたＬＥＤランプ取付体に関する。
【背景技術】
【０００２】
従来、ＬＥＤ（発光ダイオード）を用いたランプやその他の装置は数多く提供され、また世の中に出回っている。
一方、例えば木工家具等の家具においては、その扉やその他、家具の一部にＬＥＤランプが取り付けられることはなかった。
【発明の開示】
【発明が解決しようとする課題】
【０００３】
ところが上記ＬＥＤを用いたランプは、その構成において、ハンダ付け等のいわゆる溶接による接合が何れかの個所に必ずといってよいほど用いられており、その分、製造設備が必要であり、また製造が容易ではない。
また予め工場等でランプを完成させておく必要があり、その場で部品から簡単に製造することができないという問題があった。
一方、弱視力の人や老人にとって、特に夜間においては、必ずしも家具の位置がはっきりとわからない場合もあり、扉の位置がわからなかったり、家具の角に頭をぶつけるようなことが生じる問題があった。
【０００４】
そこで本発明は上記従来の問題を解消し、ＬＥＤを用いてハンダ等による接合を必要とせず、よって組み立てが簡単で、且つ現場にても部品さえあれば容易に必要な完成品を作ることができるＬＥＤランプの提供を課題とする。また家具等の扉やその他の木製板の部分に簡単に取り付けることにより、斬新な家具をもたらすことができるＬＥＤランプの提供を課題とする。またそのようなＬＥＤランプを取り付けたＬＥＤランプ取付体の提供を課題とする。
【課題を解決するための手段】
【０００５】
上記課題を達成するため、本発明のＬＥＤランプは、発光頭部と一対の外部リード脚とを供えたＬＥＤと、該ＬＥＤに対してその発光頭部が先端側から外部に突出した状態に嵌め合わせられるマイナス極用の筒状外装体と、該筒状外装体内に基端側から挿着され、前記外部リード脚のプラス脚を自己の管内に受け入れると共にマイナス脚を自己の管外に隔離して前記マイナス極用の筒状外装体との間に挟持する絶縁性隔離管と、該絶縁性隔離管に対して基端側から差し込まれ、その差込部で前記プラス脚を前記絶縁性隔離管との間に挟持するプラス極用の差込ピンとからなることを第１の特徴としている。
また本発明のＬＥＤランプ取付体は、前記第１の特徴に係るＬＥＤランプを家具等の木製板に設けた貫通穴に嵌め込み、ＬＥＤの発光頭部を木製板の前面に臨ませ、木製板の背面において前記ＬＥＤランプの差込ピンに対するプラス配線と前記筒状外装体に対するマイナス配線を施すように構成したことを第２の特徴としている。
また本発明のＬＥＤランプ取付体は、上記第１の特徴に係るＬＥＤランプを家具等の扉のノブに設けた貫通穴に嵌め込み、ＬＥＤの発光頭部をノブの前面に臨ませ、扉の背面側から前記ＬＥＤランプの差込ピンに対するプラス配線と前記筒状外装体に対するマイナス配線とを施すように構成したことを第３の特徴としている。
【０００６】
上記第１の特徴に係るＬＥＤランプによれば、得られたＬＥＤランプは全体がスティック（棒）状となる。またＬＥＤのマイナス脚は、絶縁性隔離管を筒状外装体内に挿着することで絶縁性隔離管の外側に隔離されると共に、絶縁性隔離管によって押圧されて筒状外装体内面との間に挟持される。この挟持により前記ＬＥＤのマイナス脚がマイナス極用の筒状外装体に接触した状態となり、筒状外装体がマイナス極となる。
またＬＥＤのプラス脚は、絶縁性隔離管の筒状外装体内への挿着がなされた際に絶縁性隔離管の管内に隔離されると共に、差込ピンが絶縁性隔離管に差し込まれることで、該差込ピンの差込部と絶縁性隔離管の内面との間に挟持される。この挟持により前記ＬＥＤのプラス脚がプラス極用の差込ピンに接触した状態となり、差込ピンがプラス極となる。差込ピンに電源からのプラス配線を接続し、筒状外装体に電源からのマイナス配線をつなぐことで、ランプを点灯させることができる。
ＬＥＤランプの組み立ては、筒状外装体にＬＥＤをセットした状態で絶縁性隔離管を挿着し、更にその挿着された絶縁性隔離管に差込ピンを差し込むことで、ハンダ付けや接着剤を必要とすることなく、ＬＥＤランプを組み立て、完成させることができる。
完成されたＬＥＤランプは筒状外装体の先端からＬＥＤの発光頭部が突出したシンプルな細身のスティック状であり、木製板やその他の板等に穿設された穴に容易に装着して取り付けることができる。
【０００７】
また上記第２の特徴に係るＬＥＤランプ取付体によれば、ＬＥＤランプは木製板の貫通穴に嵌め込まれ、ＬＥＤの発光頭部が木製板の前面に臨まされる。木製板の背面においては電源からのプラス配線がＬＥＤランプの差込ピンに対して施され、また電源からのマイナス配線がＬＥＤランプの筒状外装体に施される。
【０００８】
また上記第３の特徴に係るＬＥＤランプ取付体によれば、ＬＥＤランプは扉の金属製等のノブに設けられた貫通穴に嵌め込まれ、ＬＥＤの発光頭部がノブの前面に臨まされる。そして扉の背面側から、電源からのプラス配線がＬＥＤランプの差込ピンに対して施され、また電源からのマイナス配線がＬＥＤランプの筒状外装体に施される。
【発明の効果】
【０００９】
本発明の請求項１に記載のＬＥＤランプよれば、発光頭部と一対の外部リード脚とを供えたＬＥＤと、該ＬＥＤに対してその発光頭部が先端側から外部に突出した状態に嵌め合わせられるマイナス極用の筒状外装体と、該筒状外装体内に基端側から挿着され、前記外部リード脚のプラス脚を自己の管内に受け入れると共にマイナス脚を自己の管外に隔離して前記マイナス極用の筒状外装体との間に挟持する絶縁性隔離管と、該絶縁性隔離管に対して基端側から差し込まれ、その差込部で前記プラス脚を前記絶縁性隔離管との間に挟持するプラス極用の差込ピンとからなるので、
ＬＥＤを用いたランプを、ハンダ付けや接着剤を必要とすることなく、部品の組み合わせ作業によって簡単に組み立てることができる。また家具等の製作現場にても、部品さえあれば容易に必要なＬＥＤランプの完成品を作ることができる。
また完成されたＬＥＤランプは筒状外装体の先端からＬＥＤの発光頭部が突出したシンプルな細身のスティック状であり、木製板やその他の板等に穿設された穴に容易に装着して取り付けることができる。
【００１０】
また請求項２に記載のＬＥＤ取付体によれば、請求項１に記載のＬＥＤランプを家具等の木製板に設けた貫通穴に嵌め込み、ＬＥＤの発光頭部を木製板の前面に臨ませ、木製板の背面において前記ＬＥＤランプの差込ピンに対するプラス配線と前記筒状外装体に対するマイナス配線を施すように構成したので、
ＬＥＤ取付体を構成する木製板を、ＬＥＤが放つ発光により色彩豊かなものとすることができ、斬新な家具を提供することができる。加えて弱視者や老人等に対して、夜間等においても家具の場所を明確に示すことができ、使い勝手がよくて安全な家具を提供することができる。
【００１１】
また請求項３に記載のＬＥＤ取付体によれば、請求項１に記載のＬＥＤランプを、家具等の扉のノブに設けた貫通穴に嵌め込み、ＬＥＤの発光頭部をノブの前面に臨ませ、扉の背面側から前記ＬＥＤランプの差込ピンに対するプラス配線と前記筒状外装体に対するマイナス配線とを施すように構成したので、
扉のノブを夜間等においてＬＥＤランプで光らすことができる。これによって家具等の扉を、ＬＥＤが放つ発光により色彩豊かなものとすることができ、よって斬新な家具（扉）を提供することができる。加えて弱視者や老人等に対して、夜間等においてもノブの位置を明確に示すことができ、使い勝手がよくて安全な家具（扉）を提供することができる。
【発明を実施するための最良の形態】
【００１２】
以下の図面を参照しながら、本発明の実施形態を更に詳細に説明する。
図１は本発明の実施形態であるＬＥＤランプの全体を示す縦断面図、図２はＬＥＤランプの各部品を示し、（Ａ）はＬＥＤ、（Ｂ）はパッキング、（Ｃ）はマイナス極用の筒状外装体、（Ｄ１）は絶縁性隔離管の縦断面図、（Ｄ２）は絶縁性隔離管の右端面図、（Ｅ）は差込ピンである。図３は本発明の実施形態であるＬＥＤランプ取付体の断面構成図、図４は本発明の実施形態である他のＬＥＤランプ取付体の断面構成図、図５は本発明の実施形態である更に他のＬＥＤランプ取付体の断面構成図である。
【００１３】
図１、２を参照して、ＬＥＤランプ１は、ＬＥＤ１０と、パッキング２０と、筒状外装体３０と、絶縁性隔離管４０と、差込ピン５０とからなる。
【００１４】
前記ＬＥＤ１０は、市販されている一般的な規格品を用いることができる。ＬＥＤ１０は発光頭部１１と一対の外部リード脚１２とからなる。外部リード脚１２はプラス脚１２ａとマイナス脚１２ｂとからなり、発光頭部１１の基部１１ａから導出されている。
前記パッキング２０はＯリングで、耐水性が要求されない場合は必ずしも使用しなくてもよい。
前記筒状外装体３０は、ＬＥＤランプ１のスティック状の外装になると共に、ＬＥＤランプ１のマイナス極となるもので、鉄やアルミニウム等の導電性金属で構成される。筒状外装体３０の先端は、その円形の先端縁が若干内側に曲げられてなる係止部３１に構成されている。
筒状外装体３０はＬＥＤ１０に被せられ、ＬＥＤ１０の発光頭部１１が筒状外装体３０の先端側から突出するようにされる。この際、ＬＥＤ１０の発光頭部１１の基部１１ａが筒状外装体３０の係止部３１によって係止される。筒状外装体３０は、その外径が５〜１０ｍｍ程度の細いものである。
【００１５】
前記絶縁性隔離管４０は、筒状外装体３０内に装着されているＬＥＤ１０のプラス脚１２ａとマイナス脚１２ｂとを隔離させるための管で、樹脂製の管とする。
絶縁性隔離管４０の外側面は、図２の（Ｄ２）に示すように、長手方向に平行な複数の凹凸条４１を施した形状としている。これによって前記ＬＥＤ１０のマイナス脚１２ｂを絶縁性隔離管４０の外面で長手方向に確実にとらえると共に、筒状外装体３０の内面との間で圧接状態に挟持することができる。
絶縁性隔離管４０の外径（直径）は、筒状外装体３０の内径よりも僅かに小径に構成する。僅かに小径とは、絶縁性隔離管４０を筒状外装体３０内に挿着することができると共に、装着した際にＬＥＤ１０のマイナス脚１２ｂを絶縁性隔離管４０と筒状外装体３０との間に挟み込んで、筒状外装体３０の内面に十分に接触させることができる径である。
【００１６】
前記差込ピン５０は、ＬＥＤランプ１のプラス極となるピンで、頭部５１と差込部５２とからなる鉄やその他の導電性金属で構成される。
差込ピン５０は前記絶縁性隔離管４０の基端側から差し込まれ、差込部５２が絶縁性隔離管４０内に受け入れられているＬＥＤ１０のプラス脚１２ａを絶縁性隔離管４０の内面との間に挟持する。この挟持によって差込部５２とプラス脚１２ａとが接触する。
差込ピン５０の差込部５２の外径（直径）は、絶縁性隔離管４０の内径よりも僅かに小径に構成する。僅かに小径とは、差込ピン５０の差込部５２を絶縁性隔離管４０内に差し込むことができると共に、差し込んだ際にＬＥＤ１０のプラス脚１２ａを差込部５２と絶縁性隔離管４０との間に挟み込んで十分に差込部５２に接触させることができる径である。
【００１７】
ＬＥＤランプ１の組み立てを説明する。
先ずＬＥＤ１０の発光頭部１１にパッキング２０を嵌める。次に筒状外装体３０をＬＥＤ１０に被せて、ＬＥＤ１０の発光頭部１１が筒状外装体３０の先端側から突出するように嵌め合わせる。この状態でＬＥＤ１０の発光頭部１１の基部１１ａがパッキング２０を介して筒状外装体３０の係止部３１の内面に係止された状態となる。
次に絶縁性隔離管４０を筒状外装体３０の基端側から挿入し、その際、ＬＥＤ１０のプラス脚１２ａを絶縁性隔離管４０の管内に受け入れるように導き、一方、ＬＥＤ１０のマイナス脚１２ｂを絶縁性隔離管４０の管外に隔離するようにする。絶縁性隔離管４０を筒状外装体３０内に挿着することで、前記ＬＥＤ１０のマイナス脚１２ｂが筒状外装体３０の内面に圧着状態に接触する。また挿着状態では絶縁性隔離管４０の基端面が筒状外装体３０の基端面から若干突出する。絶縁性隔離管４０の長さは、そのような長さとされる。
次に差込ピン５０を前記絶縁性隔離管４０の基端側から差し込む。差込部５２が絶縁性隔離管４０内でＬＥＤ１０のプラス脚１２ａを絶縁性隔離管４０の内面に押し付け、挟持する。これによりＬＥＤ１０のプラス脚１２ａが差込ピン５０に圧着状態で接触する。差込ピン５０の頭部５１は絶縁性隔離管４０の穴を塞ぐ形で該絶縁性隔離管４０の基端面に当接する。
最後に、筒状外装体３０の外側から抜止め加工６０を施す。
【００１８】
図３を参照して、本発明のＬＥＤランプ１を用いたＬＥＤランプ取付体の形態例を説明する。
このＬＥＤランプ取付体の例は、家具等の木製板１００にＬＥＤランプ１のスティックがちょうど嵌り込む貫通穴１１０を設け、ＬＥＤランプ１のマイナス極用の筒状外装体３０の外側面にマイナス配線１２０を施し、ＬＥＤランプ１を前記貫通穴１１０に嵌め込んで、その発光頭部１１を木製板１００の前面１００ａに臨ませ、前記マイナス配線１２０を木製板１００の背面１００ｂに導き出し、背面１００ｂ側の貫通穴１１０の周りでマイナス配線１２０をプラス極用の差込ピン５０から隔離させる絶縁性粘着シール１３０を貼り付けて構成している。図示しない電源からのプラス配線が差込ピン５０の頭部５１に対して接続され、また図示しない電源からのマイナス配線が前記マイナス配線１２０と接続される。
【００１９】
図４を参照してＬＥＤランプ取付体の別の形態例を説明する。
このＬＥＤランプ取付体の例は、ＬＥＤランプ１を通常のものよりも短寸法のものを用いた場合或いはＬＥＤランプ１に対して木製板１００の板厚が大きい場合のＬＥＤランプ取付体の例を示す。
家具等の木製板２００に、ＬＥＤランプ１のスティックがちょうど嵌り込む小径穴２１１とその小径穴２１１に続く大径穴２１２とからなる貫通穴が設けられている。ＬＥＤランプ１は、そのマイナス極用である筒状外装体３０の外側面にマイナス配線２２０が施された状態で、前記小径穴２１１に嵌め込まれ、その発光頭部１１が木製板２００の前面２００ａに臨まされている。前記マイナス配線２２０は前記小径穴２１１から大径穴２１２側に導出されている。一方、樹脂製（絶縁性）のインサートナット２３０が木製板２００の背面側から前記大径穴２１２内に装着され、これによって前記マイナス配線２２０が更にインサートナット２３０と大径穴２１２との間を通って木製板２００の背面２００ｂまで導出されている。背面２２０ｂに導出されたマイナス配線２２０は木ネジ２４０で止められている。背面２００ｂに導出されたマイナス配線２２０は図示しない電源からのマイナス配線と接続される。
前記インサートナット２３０に対して金属製（導電性）ボルト２５０が螺合され、その金属製ボルト２５０の先端がＬＥＤランプ１の差込ピン５０に当接される。金属製ボルト２５０の基端は木製板２００の背面２００ｂから若干突出し、図示しない電源からのプラス配線と接続される。
前記マイナス配線２２０と金属製ボルト２５０とは、背面２００ｂ側の大径穴２１２の周りで、絶縁性ワッシャー２６０により隔離されている。
【００２０】
図５を参照して、ＬＥＤランプ取付体の別の形態例を説明する。
このＬＥＤランプ取付体の例は、ＬＥＤランプ１を家具等の扉３００のノブ３１０に取り付けるようにしたＬＥＤランプ取付体の例である。
金属製のノブ３１０の中心に、ＬＥＤランプ１のスティックがちょうど嵌り込む小径穴３１１とその小径穴３１１に続く大径穴３１２とからなる貫通穴が設けられている。ＬＥＤランプ１は、前記小径穴３１１に嵌め込まれ、その発光頭部１１がノブ３１０の前面に臨まされている。
前記ノブ３１０の大径穴３１２には樹脂製（絶縁性）のインサートナット３３０が螺合され、絶縁に供されている。
前記ノブ３１０の基端部からマイナス配線３２０が前記扉３００に設けられたマイナス配線用の挿通穴３０１を通って扉３００の背面３００ｂまで導出されている。背面３００ｂに導出されたマイナス配線３２０は木ネジ３４０で止められている。背面３００ｂに導出されたマイナス配線３２０は図示しない電源からのマイナス配線と接続される。
前記扉３００には前記ノブ３１０の大径穴３１２に連続する貫通穴３０２が設けられ、該貫通穴３０２に対して金属製（導電性）ボルト３５０が挿通され、更に前記ノブ３１０の大径穴３１２と螺合されたインサートナット３３０の内面と螺合され、その金属製ボルト３５０の先端がＬＥＤランプ１の差込ピン５０に当接される。金属製ボルト３５０の基端は扉３００の背面３００ｂから若干突出し、図示しない電源からのプラス配線と接続される。
マイナス配線３２０と金属製ボルト３５０とは、背面３００ｂ側の貫通穴３０２の周りで、絶縁性ワッシャー３６０により隔離されている。
【図面の簡単な説明】
【００２１】
【図１】本発明の実施形態であるＬＥＤランプの全体を示す縦断面図である。
【図２】ＬＥＤランプの各部品を示し、（Ａ）はＬＥＤ、（Ｂ）はパッキング、（Ｃ）はマイナス極用の筒状外装体、（Ｄ１）は絶縁性隔離管の縦断面図、（Ｄ２）は絶縁性隔離管の右端面図、（Ｅ）は差込ピンである。
【図３】本発明の実施形態であるＬＥＤランプ取付体の断面構成図である。
【図４】本発明の実施形態である他のＬＥＤランプ取付体の断面構成図である。
【図５】本発明の実施形態である更に他のＬＥＤランプ取付体の断面構成図である。
【符号の説明】
【００２２】
１      ＬＥＤランプ
１０    ＬＥＤ
１１    発光頭部
１２    外部リード脚
１２ａ  プラス脚
１２ｂ  マイナス脚
２０    パッキング
３０    筒状外装体
４０    絶縁性隔離管
５０    差込ピン
１００、２００  木製板
１００ａ、２００ａ  木製板の前面
１００ｂ、２００ｂ  木製板の背面
１１０  貫通穴
１２０、２２０、３２０  マイナス配線
２１１、３１１  小径穴
２１２、３１２  大径穴
３００  扉
３００ｂ  扉の背面
３０２  貫通穴
３１０  ノブ
【図１】
2005056763.tif 000003
【図２】
2005056763.tif 000004
【図３】
2005056763.tif 000005
【図４】
2005056763.tif 000006
【図５】
2005056763.tif 000007